(57)【要約】【課題】  上面を後ろ側に向かって下り勾配に形成している浴室用カウンターにおいて、上面の勾配を大きくすることなく、上面の水切り性、水捌け性を良くする。【解決手段】  平面視略半円形状の洗面器置き部２を備える。この洗面器置き部２の上面１の左右方向の両端部に、後ろ側に至るに連れて水を徐々に斜め内方に導く水誘導部３を形成する。カウンター本体部４の左右方向の略中央位置に、洗面器置き部２を嵌め合わす凹湾曲部４ａを形成する。洗面器置き部２を、カウンター本体部４の凹湾曲部４ａの両側に形成している凹段差部４ｂに、裏面の両側を係合させて嵌め合わす。【選択図】      図１
2007021252.tif 000002
【特許請求の範囲】
【請求項１】
上面が後ろ側に向かって下り勾配に形成され、上面の水が後ろ側に導かれて排水される浴室用カウンターであって、平面視略半円形状の洗面器置き部を備え、この洗面器置き部の上面の左右方向の両端部に、後ろ側に至るに連れて水を徐々に斜め内方に導く水誘導部が形成され、カウンター本体部の左右方向の略中央位置に、上記の洗面器置き部が嵌め合わされる凹湾曲部が形成され、洗面器置き部がカウンター本体部の凹湾曲部の両側に形成されている凹段差部に、裏面の両側が係合されて嵌め合わされていることを特徴とする浴室用カウンター。
【請求項２】
請求項１記載の浴室用カウンターであって、洗面器置き部が、壁面に突き当てられる左右一対状の支持片部を備えて形成されていることを特徴とする浴室用カウンター。
【請求項３】
請求項１又は２記載の浴室用カウンターであって、上面の後ろ側に排水用の凹溝が左右方向に延びて、且つこの凹溝に連なる排水出口部の溝面が側方になだらかに傾斜されて形成されていることを特徴とする浴室用カウンター。
【発明の詳細な説明】
【技術分野】
【０００１】
本発明は、浴室用カウンターに関し、更に詳しくは石鹸等の小物を載置するため、浴室の洗い場等の壁面に形成する浴室用カウンターに関するものである。
【背景技術】
【０００２】
従来この種のカウンターとしては、例えば上面を後ろ側に向かって下方へ傾斜させたものや、カウンターを取り付ける壁面の側に、壁面に沿って溝を形成し、この溝を介してカウンター面の水を排水できるよう形成しているものがある（例えば特許文献１、同２参照）。
【特許文献１】特開平８ー８４６８０号公報
【特許文献２】特許第３２０２１８０号公報
【発明の開示】
【発明が解決しようとする課題】
【０００３】
ところでこの種のカウンターは、上面の勾配を大きくすると、水が後ろ側に流れ易くなり、上面の水切り性、水捌け性が良くなるが、反面、石鹸等の小物が後ろ側に滑り易くなり、使い勝手が悪くなる。従ってこの種のカウンターは、小物の滑りを防止でき、しかも上面の水切り性、水捌け性が良くなるよう形成されているのが望ましい。
しかるに従来のこの種のカウンターは、上面に勾配が単につけられているのに過ぎなかった。従って従来品の場合は、例えば水切り性を良くするため、上面の勾配を大きくすると小物が滑り易くなり、逆に小物の滑りを防止するため勾配を小さくすると、水滴がそのまま残って上面の水切り性、水捌け性が悪くなる、という問題点があった。
【０００４】
本発明は、このような従来の問題点に鑑み、提案されたものである。
従って本発明の技術的課題は、上面が後ろ側に向かって下り勾配に形成されている浴室用カウンターにおいて、上面の勾配を大きくすることなく、上面の水切り性、水捌け性が良くなるよう形成した浴室用カウンターを提供することにある。
【課題を解決するための手段】
【０００５】
本発明は、上記の課題を解決するために、次のような技術的手段を採る。
【０００６】
即ち本発明は、図１等に示されるように、上面１が後ろ側に向かって下り勾配に形成され、上面１の水が後ろ側に導かれて排水される浴室用カウンターであって、平面視略半円形状の洗面器置き部２を備え、この洗面器置き部２の上面１の左右方向の両端部に、後ろ側に至るに連れて水を徐々に斜め内方に導く水誘導部３が形成され、カウンター本体部４の左右方向の略中央位置に、上記の洗面器置き部２が嵌め合わされる凹湾曲部４ａが形成され、洗面器置き部２がカウンター本体部４の凹湾曲部４ａの両側に形成されている凹段差部４ｂに、裏面の両側が係合されて嵌め合わされていることを特徴とする（請求項１）。
【０００７】
本発明の場合、水誘導部３は、上面１の水を後ろ側に至るに連れて徐々に斜めに導くことが可能な形状であれば、その隆起形状、傾斜角、形成位置等は本発明品のデザインに応じて適宜選定されるので良い。ここで、徐々に斜めに導く、とは、後ろ側に至るに連れて水を少しずつ緩やかに横方向に片寄らせて流す、ということを意味する。従って本発明品によると、上面１の水は、水誘導部３によって後ろ側に至るに連れて緩やかに横方向に導かれ、分散している小さな水滴が結合して行く。そして水滴が大きくなるに連れ表面張力が低下するため、更に水滴の結合が促進し、小さな水滴が引き込まれる。従って上面１の水は流れる速度は遅いが、水の流れが途中で途切れることなく徐々に流される。その結果、本発明では洗面器置き部２の上面１の水を水誘導部３で両側から斜め内方に導いて排水でき、水栓からの飛沫で最も濡れ易い洗面器置き部２の水切り性、水捌け性を、上面１の勾配を大きくすることなくアップできる。
【０００８】
又本発明の場合、上記の洗面器置き部２は、その取付状態、取付姿勢が安定化するよう、壁面５に突き当てられる左右一対状の支持片部２ａを備えて形成されているのが好ましい（請求項２）。
【０００９】
又本発明は、上面１の後ろ側に排水用の凹溝６が左右方向に延びて、且つこの凹溝６に連なる排水出口部８の溝面８ａが側方になだらかに傾斜されて形成されているのが好ましい（請求項３）。
なぜならこれによると、排水出口部８が側方に開口しているため、人目を引くことなく排水でき、しかも排水出口部８の溝面８ａがなだらかに傾斜しているため、水をまとわり付くように穏やかに排水させることができるからである。
【発明の効果】
【００１０】
以上説明したように本発明は、後ろ側に向かって上面を下り勾配に形成し、上面の水を後ろ側に導いて排水する浴室用カウンターであって、平面視略半円形状の洗面器置き部を備え、この洗面器置き部の上面の左右方向の両端部に、後ろ側に至るに連れて水を徐々に斜め内方に導く水誘導部を形成し、カウンター本体部の左右方向の略中央位置に、上記の洗面器置き部を嵌め合わす凹湾曲部を形成し、洗面器置き部をカウンター本体部の凹湾曲部の両側に形成している凹段差部に、裏面の両側を係合させて嵌め合わせているものである。
【００１１】
従って本発明では、水誘導部によって後ろ側に至るに連れて水が徐々に横方向、即ち斜め内方に片寄って流れ、それに連れて分散している小さな水滴が結合して大きな水滴になり表面張力が低下するため、水が流れ易くなる。それ故これによれば、上面の勾配を大きくすることなく、上面の水切り性、水捌け性をアップでき、石鹸等の小物の滑り落ちを防止できる。
また本発明は、上記の通り、洗面器置き部を備えて形成されているから、洗面器置き部の後方のカウンター本体部の上面と、洗面器置き部との境界部の隙間から排水できる。従って本発明によれば、その分、上面の水切り性、水捌け性をアップできる。
【発明を実施するための最良の形態】
【００１２】
以下、本発明の好適な一実施形態を添付図面に従って説明する。
【００１３】
本発明品は、図１等に示されるように、上面１が後ろ側に向かって下り勾配に形成され、上面１の水が後ろ側に導かれて排水される浴室用カウンターである。本発明は、平面視略半円形状の洗面器置き部２を備えて形成されている。３は、後ろ側に至るに連れて水を徐々に斜めに導く水誘導部である。この水誘導部３は、この実施形態では洗面器置き部２の上面１の左右方向の両端部と、この両端部の外側にあたるカウンター本体部４の位置に隆起状に形成されている。
【００１４】
カウンター本体部４は、長板状に形成され、左右方向の略中央位置に、上記の洗面器置き部２が嵌め合わされる凹湾曲部４ａが形成されている。洗面器置き部２は、カウンター本体部４の凹湾曲部４ａの両側に形成されている凹段差部４ｂ（図２参照）に、裏面の両側が係合されて嵌め合わされるものである。又洗面器置き部２は、壁面５（図３等参照）に突き当てられる左右一対状の支持片部２ａを備えて形成されている。
【００１５】
又洗面器置き部２は、上面１の後ろ側に、左右方向に延びて排水用の凹溝６が形成されている。洗面器置き部２の凹溝６は、中央が高く、左右方向の外側に向かって水が流れるよう勾配が付けられている。又カウンター本体部４の凹溝６は、洗面器置き部２に対応する位置を除いて後ろ側の左右位置に形成され、内方に水が流れるよう勾配が付けられている。７は、バックガードである。このバックガード７によって水は、凹溝６から溢れ出ることが防止され、左右方向へ方向転換して流れるものである。８は、凹溝６に連なる排水出口部である。洗面器置き部２の排水出口部８は、凹溝６の両端に形成されている。又カウンター本体部４の排水出口部８は、凹溝６の内方の端部に形成されている。そしてこれらの排水出口部８の溝面８ａ（図２Ａ、図３、図６等参照）は、側方になだらかに傾斜されている。なお本実施例では、カウンター本体部４の側方は、浴室の壁或いは浴槽エプロンの立面に当接しており、カウンター本体部４の両側へ水がこぼれ落ちることはなく、凹溝６によってカウンター本体部４の内側に徐々に流されるように形成されている。
【００１６】
次にこの実施形態に係る本発明品の水の流れを、図１に従って説明する。
先ず洗面器置き部２の上面１の水は、水誘導部３によって後ろ側になるに連れて徐々に斜め内方に導かれる。そのため本発明では、分散している小さな水滴が結合して大きな水滴になり、それに連れて表面張力が低下する結果、水が流れ易くなり、一層、分散状態の小さな水滴が引き込まれ、水の流れが途中で途切れることなく徐々に流され、上面１の水切り水捌けが良くなる。そして上面１の水は、洗面器置き部２の凹溝６に流れ込み、その後、左右方向の外側に向かって流れて洗面器置き部２の排水出口部８から下方に流れ出る。
【００１７】
次にカウンター本体部４の上面１における水の流れを説明する。カウンター本体部４の両翼上面１の水は、後ろ側に流れてカウンター本体部４の凹溝６に流れ込む。又洗面器置き部２の外側付近の水は、カウンター本体部４の水誘導部３によって徐々に斜め外方に導かれ、カウンター本体部４の凹溝６に流れ込む。この場合の水も、分散している水滴が結合して大きな水滴になり、それに連れて表面張力が低下する結果、上面１の水切り水捌け性が良くなるものであり、洗面器置き部２の上面１の水と同様である。そして凹溝６に流れ込んだ水は、内方に流れ、排水出口部８から洗面器置き部２の後方のカウンター本体部４の上面１ａに流れ出て、この上面１ａと洗面器置き部２との境界部１ｂの隙間から下方に流れ出る。
【図面の簡単な説明】
【００１８】
【図１】本発明カウンターの好適な一実施形態を示す平面図である。
【図２】同上カウンターのカウンター本体部を示し、Ａは平面図、ＢはＡのＢ―Ｂ線断面図である。
【図３】同上カウンターの洗面器置き部の平面図である。
【図４】図３のＩＶ―ＩＶ線における拡大断面図である。
【図５】図３のＶ―Ｖ線における要部拡大断面図である。
【図６】同上カウンターの要部拡大平面図である。
【図７】図６のVIIーVII線から見た要部側面図である。
【図８】洗面器置き部の側面図である。
【符号の説明】
【００１９】
１    上面
２    洗面器置き部
３    水誘導部
４    カウンター本体部
４ａ  凹湾曲部
４ｂ  凹段差部
５    壁面
６    凹溝
７    バックガード
８    排水出口部
９    壁パネル
【図１】
2007021252.tif 000003
【図２】
2007021252.tif 000004
【図３】
2007021252.tif 000005
【図４】
2007021252.tif 000006
【図５】
2007021252.tif 000007
【図６】
2007021252.tif 000008
【図７】
2007021252.tif 000009
【図８】
2007021252.tif 000010